【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
車両（１）の扉を解錠する機械鍵（１１）を製造するための鍵形状データを管理する鍵形状データ管理システム（１００）であって、
前記車両に付与されて該車両を固体毎に識別可能な車両識別情報と、該車両識別情報を有する車両に装着された機械錠（１０）を固体毎に識別可能な機械錠識別情報と、該機械錠識別情報を有する機械錠と組み合わせて用いられる機械鍵の前記鍵形状データと、前記機械鍵を製造可能な複数の製造拠点とを記憶している記憶サーバ（１０１）と、
前記車両識別情報を決定するために用いられる決定用情報と、前記機械鍵の受渡場所を示す受渡場所情報と共に、前記機械鍵の入手要求を受け付ける受付サーバ（１０２）と、
前記決定用情報に基づいて前記車両識別情報を決定し、該車両識別情報に基づいて前記鍵形状データを決定すると共に、前記受渡場所情報に対応する前記製造拠点を決定して、前記受渡場所情報および前記決定した鍵形状データを、前記決定した製造拠点に送信する送信サーバ（１０３）と
を備え、
前記記憶サーバは、前記車両の製造に際して対応付けられた前記車両識別情報と前記機械錠識別情報との対応関係と、前記機械錠の製造に際して対応付けられた前記機械錠識別情報と前記鍵形状データとの対応関係とに基づいて、前記車両識別情報と前記機械錠識別情報と前記鍵形状データとが対応付けられた状態で記憶している
ことを特徴とする鍵形状データ管理システム。
【請求項２】
請求項１に記載の鍵形状データ管理システムであって、
前記車両の使用者を識別するための使用者識別情報を、前記車両に付与された前記車両識別情報と共に取得して、前記記憶サーバに登録する登録サーバ（１０４）を備え、
前記受付サーバは、前記決定用情報として、前記使用者識別情報を受け付ける
ことを特徴とする鍵形状データ管理システム。
【請求項３】
請求項１に記載の鍵形状データ管理システムであって、
前記受付サーバは、前記決定用情報として、前記車両識別情報を受け付ける
ことを特徴とする鍵形状データ管理システム。
【請求項４】
車両（１）の扉を解錠する機械鍵（１１）を製造するための鍵形状データを管理する鍵形状データ管理システム（１００）であって、
前記車両に付与されて該車両を固体毎に識別可能な車両識別情報と、該車両識別情報を有する車両に装着された機械錠（１０）を固体毎に識別可能な機械錠識別情報と、該機械錠識別情報を有する機械錠と組み合わせて用いられる機械鍵の前記鍵形状データとを記憶している記憶サーバ（１０１）と、
前記車両識別情報を決定するために用いられる決定用情報と共に、前記機械鍵の入手要求を受け付ける受付サーバ（１０２）と、
前記決定用情報に基づいて前記車両識別情報を決定し、該車両識別情報に基づいて前記鍵形状データを決定して、前記決定した鍵形状データを返信する返信サーバ（１０３）と
を備え、
前記記憶サーバは、前記車両の製造に際して対応付けられた前記車両識別情報と前記機械錠識別情報との対応関係と、前記機械錠の製造に際して対応付けられた前記機械錠識別情報と前記鍵形状データとの対応関係とに基づいて、前記車両識別情報と前記機械錠識別情報と前記鍵形状データとが対応付けられた状態で記憶している
ことを特徴とする鍵形状データ管理システム。
【請求項５】
請求項４に記載の鍵形状データ管理システムであって、
前記車両の使用者を識別するための使用者識別情報を、前記車両に付与された前記車両識別情報と共に取得して、前記記憶サーバに登録する登録サーバ（１０４）を備え、
前記受付サーバは、前記決定用情報として、前記使用者識別情報を受け付ける
ことを特徴とする鍵形状データ管理システム。
【請求項６】
請求項４に記載の鍵形状データ管理システムであって、
前記受付サーバは、前記決定用情報として、前記車両識別情報を受け付ける
ことを特徴とする鍵形状データ管理システム。
【請求項７】
車両（１）の扉を解錠する機械鍵（１１）を製造するための鍵形状データを管理する鍵形状データ管理方法であって、
前記車両に付与されて該車両を固体毎に識別可能な車両識別情報と、該車両識別情報を有する車両に装着された機械錠（１０）を固体毎に識別可能な機械錠識別情報とを対応付けて取得する工程（Ｓ１０１）と、
前記機械錠識別情報と、該機械錠識別情報を有する機械錠と組み合わせて用いられる機械鍵の前記鍵形状データとを対応付けて取得する工程（Ｓ１０３）と、
前記機械鍵を製造可能な複数の製造拠点を取得する工程（Ｓ１２）と、
前記車両識別情報を決定するために用いられる決定用情報と、前記機械鍵の受渡場所を示す受渡場所情報と共に、前記機械鍵の入手要求を受け付ける工程（Ｓ３０１〜Ｓ３０３）と、
前記決定用情報に基づいて前記車両識別情報を決定し、該車両識別情報に基づいて前記鍵形状データを決定する工程（Ｓ３０４）と、
前記受渡場所情報に対応する前記製造拠点を決定して、前記受渡場所情報および前記決定した鍵形状データを、前記決定した製造拠点に送信する工程（Ｓ３０５、Ｓ３０８）と
を備え、
前記車両識別情報と前記機械錠識別情報とを対応付けて取得する工程は、前記車両の製造に際して対応付けられた前記車両識別情報と前記機械錠識別情報との対応関係を取得する工程であり、
前記機械錠識別情報と前記鍵形状データとを対応付けて取得する工程は、前記機械錠の製造に際して対応付けられた前記機械錠識別情報と前記鍵形状データとの対応関係を取得する工程である
ことを特徴とする鍵形状データ管理方法。
【請求項８】
車両（１）の扉を解錠する機械鍵（１１）を製造するための鍵形状データを管理する鍵形状データ管理方法であって、
前記車両に付与されて該車両を固体毎に識別可能な車両識別情報と、該車両識別情報を有する車両に装着された機械錠（１０）を固体毎に識別可能な機械錠識別情報とを対応付けて取得する工程（Ｓ１０１）と、
前記機械錠識別情報と、該機械錠識別情報を有する機械錠と組み合わせて用いられる機械鍵の前記鍵形状データとを対応付けて取得する工程（Ｓ１０３）と、
前記車両識別情報を決定するために用いられる決定用情報と共に、前記機械鍵の入手要求を受け付ける工程（Ｓ３５１、Ｓ３５２）と、
前記決定用情報に基づいて前記車両識別情報を決定し、該車両識別情報に基づいて前記鍵形状データを決定する工程（Ｓ３５３）と、
前記決定した鍵形状データを、前記機械鍵の入手を要求してきた相手に返信する工程（Ｓ３５４）と
を備え、
前記車両識別情報と前記機械錠識別情報とを対応付けて取得する工程は、前記車両の製造に際して対応付けられた前記車両識別情報と前記機械錠識別情報との対応関係を取得する工程であり、
前記機械錠識別情報と前記鍵形状データとを対応付けて取得する工程は、前記機械錠の製造に際して対応付けられた前記機械錠識別情報と前記鍵形状データとの対応関係を取得する工程である
ることを特徴とする鍵形状データ管理方法。
【手続補正２】
【補正対象書類名】明細書
【補正対象項目名】０００７
【補正方法】変更
【補正の内容】
【０００７】
上述した問題を解決するために本発明の鍵形状データ管理システム、および鍵形状データ管理方法は、車両の車両識別情報と、その車両に組み付けられた機械錠の機械錠識別情報と、その機械錠と組み合わせて用いられる機械鍵の鍵形状データとを対応付けて記憶しておく。車両識別情報と機械錠識別情報との対応関係は、車両の製造に際して生成された対応関係を取得することができ、機械錠識別情報と鍵形状データとの対応関係は、機械錠の製造に際して生成された対応関係を取得することができる。更に、機械鍵を製造可能な複数の製造拠点についての情報も記憶しておく。そして、機械鍵の入手要求を受け付けると、車両識別情報から機械鍵の鍵形状データを特定する。更に、機械鍵の受渡場所を示す受渡場所情報に基づいて、機械鍵の製造拠点を決定する。そして、決定した鍵形状データと、受渡場所情報とを、製造拠点に送信する。
こうすれば、車両のユーザーは、機械鍵が必要になった場合には、鍵形状データ管理システムに対して機械鍵の入手を要求することで、機械鍵を受け取ることが可能となる。
【手続補正３】
【補正対象書類名】明細書
【補正対象項目名】０００８
【補正方法】変更
【補正の内容】
【０００８】
あるいは、本発明の鍵形状データ管理システム、および鍵形状データ管理方法は、次のようにしても良い。先ず、車両の車両識別情報と、その車両に組み付けられた機械錠の機械錠識別情報と、その機械錠と組み合わせて用いられる機械鍵の鍵形状データとを対応付けて記憶しておく。車両識別情報と機械錠識別情報との対応関係は、車両の製造に際して生成された対応関係を取得することができ、機械錠識別情報と鍵形状データとの対応関係は、機械錠の製造に際して生成された対応関係を取得することができる。そして、機械鍵の入手要求を受け付けると、車両識別情報から機械鍵の鍵形状データを特定して、機械鍵の入手を要求してきた相手に返信する。
こうしても、車両のユーザーは、機械鍵が必要になった場合には、鍵形状データ管理システムに対して機械鍵の入手を要求することで、機械鍵を製造するための鍵形状データを受け取ることができるので、その鍵形状データに基づいて機械鍵を製造して貰うことが可能となる。